(57)【要約】【課題】本発明は、携帯端末装置の存在を携帯端末装置に通知させる音声読み上げシステム、音声読み上げ方法、携帯端末装置、携帯端末装置の音声読み上げ方法、携帯端末装置の音声読み上げプログラム、クライアント端末装置、クライアント端末装置の音声読み上げ方法及びクライアント端末装置の音声読み上げプログラムの提供を目的とする。【解決手段】本願発明の音声読み上げシステムは、音声読み上げ要求及び文字データを特定の携帯端末装置１に対して送信するクライアント端末装置２と、クライアント端末装置２から音声読み上げ要求を受信し、受信した文字データを音声で読み上げる携帯端末装置１と、を備える。【選択図】図１
2011109342.tif 000002
【特許請求の範囲】
【請求項１】
音声読み上げ要求及び文字データを特定の携帯端末装置に対して送信するクライアント端末装置と、
前記クライアント端末装置から前記音声読み上げ要求を受信し、受信した前記文字データを音声で読み上げる携帯端末装置と、
を備える音声読み上げシステム。
【請求項２】
前記携帯端末装置は、音声読み上げ設定の可否を予め格納しており、前記音声読み上げ要求を受信すると、予め格納している前記音声読み上げ設定の可否を判定し、前記音声読み上げ設定が可である場合に、前記音声読み上げ要求と共に受信した前記文字データを音声で読み上げる
請求項１に記載の音声読み上げシステム。
【請求項３】
前記クライアント端末装置から前記音声読み上げ要求及び前記文字データをＨＴＴＰＳ（Ｈｙｐｅｒｔｅｘｔ  Ｔｒａｎｓｆｅｒ  Ｐｒｏｔｏｃｏｌ  Ｓｅｃｕｒｉｔｙ）を用いて受信し、受信した前記音声読み上げ要求及び前記文字データを、電子メールを用いて前記特定の携帯端末装置に送信するＡＰサーバを備え、
前記携帯端末装置は、前記ＡＰサーバから前記音声読み上げ要求及び前記文字データを受信し、受信した前記文字データを音声で読み上げる
請求項１又は２に記載の音声読み上げシステム。
【請求項４】
前記クライアント端末装置は、パスワードを送信し、
前記携帯端末装置は、受信したパスワードと予め格納しているパスワードとが一致するか否かを判定し、一致する場合に受信した前記文字データを音声で読み上げる
請求項１から３のいずれかに記載の音声読み上げシステム。
【請求項５】
前記携帯端末装置は、受信した前記文字データの音声読み上げが正常に終了したのか否かを判定し、判定結果を、予め格納している前記クライアント端末装置の識別子に対して送信する
請求項１から４のいずれかに記載の音声読み上げシステム。
【請求項６】
前記クライアント端末装置は、前記携帯端末装置で読み上げる音声読み上げ設定を送信し、
前記携帯端末装置は、受信した前記文字データを、受信した前記音声読み上げ設定の音声で読み上げる
請求項１から５のいずれかに記載の音声読み上げシステム。
【請求項７】
前記携帯端末装置は、前記文字データを音声で読み上げると共に、バイブレータ機能又はイルミネーション機能を動作させる
請求項１から６のいずれかに記載の音声読み上げシステム。
【請求項８】
音声読み上げ要求及び文字データを、クライアント端末装置から特定の携帯端末装置に送信する音声読み上げ要求送信手順と、
前記クライアント端末装置から送信された前記音声読み上げ要求及び前記文字データを前記特定の携帯端末装置で受信し、受信した前記文字データを音声で読み上げる音声読み上げ手順と、
を順に有する音声読み上げ方法。
【請求項９】
前記音声読み上げ手順において、前記クライアント端末装置から送信された前記音声読み上げ要求を受信すると、前記携帯端末装置に予め格納されている音声読み上げ設定の可否を判定し、前記音声読み上げ設定が可である場合に、前記音声読み上げ要求と共に受信した前記文字データを音声で読み上げる
請求項８に記載の音声読み上げ方法。
【請求項１０】
前記クライアント端末装置から前記音声読み上げ要求及び前記文字データをＨＴＴＰＳ（Ｈｙｐｅｒｔｅｘｔ  Ｔｒａｎｓｆｅｒ  Ｐｒｏｔｏｃｏｌ  Ｓｅｃｕｒｉｔｙ）を用いてＡＰサーバで受信し、受信した前記音声読み上げ要求及び前記文字データを、電子メールを用いて前記ＡＰサーバから前記特定の携帯端末装置に送信するＡＰサーバ中継手順を、前記音声読み上げ要求送信手順と前記音声読み上げ手順の間にさらに有し、
前記音声読み上げ手順において、前記ＡＰサーバから電子メールを用いて送信された前記音声読み上げ要求及び前記文字データを前記特定の携帯端末装置で受信し、受信した前記文字データを音声で読み上げる
請求項８又は９に記載の音声読み上げ方法。
【請求項１１】
前記音声読み上げ要求送信手順において、前記クライアント端末装置からパスワードを送信し、
前記音声読み上げ手順において、前記クライアント端末装置から送信されたパスワードと前記携帯端末装置に予め格納されているパスワードとが一致するか否かを判定し、一致する場合に、受信した前記文字データを音声で読み上げる
請求項８から１０のいずれかに記載の音声読み上げ方法。
【請求項１２】
前記携帯端末装置での前記文字データの音声読み上げが正常に終了したのか否かを判定し、判定結果を、前記携帯端末装置に予め格納されている前記クライアント端末装置の識別子に対して送信する終了確認手順を、前記音声読み上げ手順の後にさらに有する
請求項８から１１のいずれかに記載の音声読み上げ方法。
【請求項１３】
前記音声読み上げ要求送信手順において、前記携帯端末装置で読み上げる音声読み上げ設定を前記クライアント端末装置から前記特定の携帯端末装置に送信し、
前記音声読み上げ手順において、前記携帯端末装置で受信した前記文字データを、受信した前記音声読み上げ設定の音声で読み上げる
請求項８から１２のいずれかに記載の音声読み上げ方法。
【請求項１４】
前記音声読み上げ手順において、前記文字データを音声で読み上げると共に、バイブレータ機能又はイルミネーション機能を動作させる
請求項８から１３のいずれかに記載の音声読み上げ方法。
【請求項１５】
音声読み上げ要求及び文字データをクライアント端末装置から受信する通信部と、
前記通信部の受信する前記文字データを音声で読み上げる外部出力部と、
を備える携帯端末装置。
【請求項１６】
音声読み上げ設定の可否を予め格納する記憶部と、
前記通信部が前記音声読み上げ要求を受信すると、前記記憶部の格納している前記音声読み上げ設定の可否を判定する可否判定部と、をさらに備え、
前記外部出力部は、前記可否判定部の判定が可である場合に、前記音声読み上げ要求と共に受信した前記文字データを音声で読み上げる
請求項１５に記載の携帯端末装置。
【請求項１７】
前記通信部は、前記クライアント端末装置から前記音声読み上げ要求及び前記文字データをＨＴＴＰＳ（Ｈｙｐｅｒｔｅｘｔ  Ｔｒａｎｓｆｅｒ  Ｐｒｏｔｏｃｏｌ  Ｓｅｃｕｒｉｔｙ）を用いて受信し、電子メールを用いて前記特定の携帯端末装置に送信するＡＰサーバから、前記音声読み上げ要求及び前記文字データを、電子メールを用いて受信する
請求項１５又は１６に記載の携帯端末装置。
【請求項１８】
前記通信部の受信するパスワードと予め格納しているパスワードとが一致するか否かを判定する認証部をさらに備え、
前記外部出力部は、前記認証部が一致すると判定した場合に、受信した前記文字データを音声で読み上げる
請求項１５から１７のいずれかに記載の携帯端末装置。
【請求項１９】
前記外部出力部の前記文字データの音声読み上げが正常に終了したのか否かを判定する終了確認部をさらに備え、
前記通信部は、前記終了確認部の判定結果を、予め格納している前記クライアント端末装置の識別子に対して送信する
請求項１５から１８のいずれかに記載の携帯端末装置。
【請求項２０】
前記通信部は、前記携帯端末装置で読み上げる音声読み上げ設定を前記クライアント端末装置から受信し、
前記外部出力部は、受信した前記文字データを、前記通信部の受信する前記音声読み上げ設定の音声で読み上げる
請求項１５から１９のいずれかに記載の携帯端末装置。
【請求項２１】
前記外部出力部は、前記文字データを音声で読み上げると共に、バイブレータ機能又はイルミネーション機能を動作させる
請求項１５から２０のいずれかに記載の携帯端末装置。
【請求項２２】
クライアント端末装置から送信された前記音声読み上げ要求及び前記文字データを前記特定の携帯端末装置で受信し、受信した前記文字データを音声で読み上げる音声読み上げ手順
を有する携帯端末装置の音声読み上げ方法。
【請求項２３】
前記音声読み上げ手順において、前記クライアント端末装置から送信された前記音声読み上げ要求を受信すると、前記携帯端末装置に予め格納されている音声読み上げ設定の可否を判定し、前記音声読み上げ設定が可である場合に、前記音声読み上げ要求と共に受信した前記文字データを音声で読み上げる
請求項２２に記載の携帯端末装置の音声読み上げ方法。
【請求項２４】
前記音声読み上げて順において、前記クライアント端末装置から前記音声読み上げ要求及び前記文字データをＨＴＴＰＳ（Ｈｙｐｅｒｔｅｘｔ  Ｔｒａｎｓｆｅｒ  Ｐｒｏｔｏｃｏｌ  Ｓｅｃｕｒｉｔｙ）を用いて受信し、電子メールを用いて前記特定の携帯端末装置に送信するＡＰサーバから、前記音声読み上げ要求及び前記文字データを、電子メールを用いて受信し、受信した前記文字データを音声で読み上げる
請求項２２又は２３に記載の携帯端末装置の音声読み上げ方法。
【請求項２５】
前記音声読み上げ手順において、前記クライアント端末装置から送信されたパスワードと前記携帯端末装置に予め格納されているパスワードとが一致するか否かを判定し、一致する場合に、受信した前記文字データを音声で読み上げる
請求項２２から２４のいずれかに記載の携帯端末装置の音声読み上げ方法。
【請求項２６】
前記携帯端末装置での前記文字データの音声読み上げが正常に終了したのか否かを判定し、判定結果を、前記携帯端末装置に予め格納されている前記クライアント端末装置の識別子に対して送信する終了確認手順を、前記音声読み上げ手順の後にさらに有する
請求項２２から２５のいずれかに記載の携帯端末装置の音声読み上げ方法。
【請求項２７】
前記音声読み上げ手順において、前記携帯端末装置で受信した前記文字データを、前記クライアント端末装置から送信された音声読み上げ設定の音声で読み上げる
請求項２２から２６のいずれかに記載の携帯端末装置の音声読み上げ方法。
【請求項２８】
前記音声読み上げ手順において、前記文字データを音声で読み上げると共に、バイブレータ機能又はイルミネーション機能を動作させる
請求項２２から２７のいずれかに記載の携帯端末装置の音声読み上げ方法。
【請求項２９】
クライアント端末装置から送信された音声読み上げ要求及び文字データを通信部で受信し、受信した前記文字データを、外部出力部を用いて音声で読み上げる音声読み上げステップ
をコンピュータに実行させる携帯端末装置の音声読み上げプログラム。
【請求項３０】
前記音声読み上げステップにおいて、前記クライアント端末装置から送信された前記音声読み上げ要求を受信すると、記憶部に予め格納されている音声読み上げ設定の可否を判定し、前記音声読み上げ設定が可である場合に、前記文字データを、外部出力部を用いて音声で読み上げる
請求項２９に記載の携帯端末装置の音声読み上げプログラム。
【請求項３１】
前記音声読み上げステップにおいて、前記クライアント端末装置から前記音声読み上げ要求及び前記文字データをＨＴＴＰＳ（Ｈｙｐｅｒｔｅｘｔ  Ｔｒａｎｓｆｅｒ  Ｐｒｏｔｏｃｏｌ  Ｓｅｃｕｒｉｔｙ）を用いて受信し、電子メールを用いて前記特定の携帯端末装置に送信するＡＰサーバから、前記音声読み上げ要求及び前記文字データを、電子メールを用いて通信部で受信し、受信した前記文字データを外部出力部から音声で読み上げる
請求項２９又は３０に記載の携帯端末装置の音声読み上げプログラム。
【請求項３２】
前記音声読み上げステップにおいて、前記通信部の受信するパスワードと記憶部に格納されているパスワードとが一致するか否かを判定し、一致する場合に、受信した前記文字データを、前記外部出力部を用いて音声で読み上げる
請求項２９から３１のいずれかに記載の携帯端末装置の音声読み上げプログラム。
【請求項３３】
前記外部出力部での前記文字データの音声読み上げが正常に終了したのか否かを判定し、判定結果を、記憶部に格納されている前記クライアント端末装置の識別子に対して送信する終了確認ステップを、前記音声読み上げステップの後にさらに有する
請求項２９から３２のいずれかに記載の携帯端末装置の音声読み上げプログラム。
【請求項３４】
前記音声読み上げステップにおいて、前記通信部の受信した前記文字データを、前記通信部の受信した音声読み上げ設定の音声で読み上げる
請求項２９から３３のいずれかに記載の携帯端末装置の音声読み上げプログラム。
【請求項３５】
前記音声読み上げステップにおいて、前記文字データを音声で読み上げると共に、バイブレータ機能又はイルミネーション機能を動作させる
請求項２９から３４のいずれかに記載の携帯端末装置の音声読み上げプログラム。
【請求項３６】
音声読み上げ要求及び文字データを受信すると前記文字データを音声で読み上げる特定の携帯端末装置に対して、前記音声読み上げ要求及び前記文字データを送信する通信部
を備えるクライアント端末装置。
【請求項３７】
前記通信部は、電子メールを用いて前記音声読み上げ要求及び前記文字データを前記特定の携帯端末装置に送信するＡＰサーバに対し、前記音声読み上げ要求及び前記文字データを、ＨＴＴＰＳ（Ｈｙｐｅｒｔｅｘｔ  Ｔｒａｎｓｆｅｒ  Ｐｒｏｔｏｃｏｌ  Ｓｅｃｕｒｉｔｙ）を用いて送信する
請求項３６に記載のクライアント端末装置。
【請求項３８】
前記通信部は、前記文字データの音声読み上げが正常に終了したのか否かの判定結果を受信する
請求項３６又は３７に記載のクライアント端末装置。
【請求項３９】
前記通信部は、前記携帯端末装置で読み上げる音声読み上げ設定を送信する
請求項３６から３８のいずれかに記載のクライアント端末装置。
【請求項４０】
音声読み上げ要求及び文字データを受信すると前記文字データを音声で読み上げる特定の携帯端末装置に対して、前記音声読み上げ要求及び前記文字データを送信する音声読み上げ要求送信手順
を有するクライアント端末装置の音声読み上げ方法。
【請求項４１】
前記音声読み上げ要求送信手順において、前記音声読み上げ要求及び前記文字データを、ＨＴＴＰＳ（Ｈｙｐｅｒｔｅｘｔ  Ｔｒａｎｓｆｅｒ  Ｐｒｏｔｏｃｏｌ  Ｓｅｃｕｒｉｔｙ）を用いてＡＰサーバに送信し、前記ＡＰサーバを介して前記特定の携帯端末装置に送信する
請求項４０に記載のクライアント端末装置の音声読み上げ方法。
【請求項４２】
前記携帯端末装置での前記文字データの音声読み上げが正常に終了したのか否かの判定結果を、前記携帯端末装置から受信する終了確認手順を、前記音声読み上げ手順の後にさらに有する
請求項４０又は４１に記載のクライアント端末装置の音声読み上げ方法。
【請求項４３】
前記音声読み上げ要求送信手順において、前記携帯端末装置で読み上げる音声読み上げ設定を前記クライアント端末装置から前記特定の携帯端末装置に送信する
請求項４０から４２のいずれかに記載のクライアント端末装置の音声読み上げ方法。
【請求項４４】
音声読み上げ要求及び文字データを受信すると前記文字データを音声で読み上げる特定の携帯端末装置に対して、前記音声読み上げ要求及び前記文字データを送信する音声読み上げ要求送信ステップ
をコンピュータに実行させるクライアント端末装置の音声読み上げプログラム。
【請求項４５】
前記音声読み上げ要求送信ステップにおいて、前記音声読み上げ要求及び前記文字データを、ＨＴＴＰＳ（Ｈｙｐｅｒｔｅｘｔ  Ｔｒａｎｓｆｅｒ  Ｐｒｏｔｏｃｏｌ  Ｓｅｃｕｒｉｔｙ）を用いて前記通信部からＡＰサーバに送信する
請求項４４に記載のクライアント端末装置の音声読み上げプログラム。
【請求項４６】
前記携帯端末装置での前記文字データの音声読み上げが正常に終了したのか否かの判定結果を、前記携帯端末装置から受信する終了確認ステップを、前記音声読み上げステップの後にさらに有する
請求項４４又は４５に記載のクライアント端末装置の音声読み上げプログラム。
【請求項４７】
前記音声読み上げ要求送信ステップにおいて、前記携帯端末装置で読み上げる音声読み上げ設定を前記通信部から前記特定の携帯端末装置に送信する
請求項４４から４６のいずれかに記載のクライアント端末装置の音声読み上げプログラム。
【発明の詳細な説明】
【技術分野】
【０００１】
本発明は、遠隔操作可能な携帯端末装置及び携帯端末装置の存在通知方法に関する。
【背景技術】
【０００２】
遠隔操作可能な携帯端末装置が提案されている（例えば、特許文献１参照。）。特許文献１に記載された携帯端末装置は、ＲＦ（Ｒａｄｉｏ  Ｆｒｅｑｕｅｎｃｙ）回路と、ＣＰＵ（Ｃｅｎｔｒａｌ  Ｐｒｏｃｅｓｓｉｎｇ  Ｕｎｉｔ）と、を備え、以下のように動作する。ＲＦ回路は、網を介してキャラクタデータを受信する。ＣＰＵは、キャラクタデータに含まれているデータ設定を実行する。
【０００３】
このとき、ＣＰＵはキャラクタデータに含まれている暗証番号が正しいかどうかを確認する。また、ＣＰＵは、指定された電話番号に発信して「設定項目××のデータは○○に設定されています」というような音声ガイダンスでユーザデータの読み出しを行ったり、指定された設定データをメールにセットして読み出し要求を行った端末に返送したりする。これにより、特許文献１に記載された携帯端末装置は、会社や自宅等で携帯端末装置の電源を「ＯＮ」にしたままで置き忘れたときなどに、遠隔より携帯端末装置におけるデータの設定・読み出し操作を行うことを可能にする。
【先行技術文献】
【特許文献】
【０００４】
【特許文献１】特開２０００−１２５０２６号公報
【発明の概要】
【発明が解決しようとする課題】
【０００５】
使用者が携帯端末装置を紛失してしまう場合がある。この場合、特許文献１に記載された携帯端末装置は、データの設定・読み出し操作を行うことはできるが、紛失した携帯端末装置を探すことまでは考慮されていない。データの設定・読み出し操作を行うだけでは、紛失した携帯端末装置を探し出すことまではできない。
【０００６】
一方、測位システムを利用可能な携帯端末装置では、携帯端末装置の位置を特定することができる。しかし、測位システムは高さ方向の精度を上げることが困難である。このことなどから、測位システムを利用しても、携帯端末装置の位置を特定することは困難だった。
【０００７】
そこで、本発明は、携帯端末装置の存在を携帯端末装置に通知させる音声読み上げシステム、音声読み上げ方法、携帯端末装置、携帯端末装置の音声読み上げ方法、携帯端末装置の音声読み上げプログラム、クライアント端末装置、クライアント端末装置の音声読み上げ方法及びクライアント端末装置の音声読み上げプログラムの提供を目的とする。
【課題を解決するための手段】
【０００８】
本願発明の音声読み上げシステムは、音声読み上げ要求及び文字データを特定の携帯端末装置に対して送信するクライアント端末装置と、前記クライアント端末装置から前記音声読み上げ要求を受信し、受信した前記文字データを音声で読み上げる携帯端末装置と、を備える。
【０００９】
本願発明の音声読み上げ方法は、音声読み上げ要求及び文字データを、クライアント端末装置から特定の携帯端末装置に送信する音声読み上げ要求送信手順と、前記クライアント端末装置から送信された前記音声読み上げ要求及び前記文字データを前記特定の携帯端末装置で受信し、受信した前記文字データを音声で読み上げる音声読み上げ手順と、を順に有する。
【００１０】
本願発明の携帯端末装置は、音声読み上げ要求及び文字データをクライアント端末装置から受信する通信部と、前記通信部の受信する前記文字データを音声で読み上げる外部出力部と、を備える。
【００１１】
本願発明の携帯端末装置の音声読み上げ方法は、クライアント端末装置から送信された前記音声読み上げ要求及び前記文字データを前記特定の携帯端末装置で受信し、受信した前記文字データを音声で読み上げる音声読み上げ手順を有する。
【００１２】
本願発明の携帯端末装置の音声読み上げプログラムは、クライアント端末装置から送信された音声読み上げ要求及び文字データを通信部で受信し、受信した前記文字データを、外部出力部を用いて音声で読み上げる音声読み上げステップをコンピュータに実行させる。
【００１３】
本願発明のクライアント端末装置は、音声読み上げ要求及び文字データを受信すると前記文字データを音声で読み上げる特定の携帯端末装置に対して、前記音声読み上げ要求及び前記文字データを送信する通信部を備える。
【００１４】
本願発明のクライアント端末装置の音声読み上げ方法は、音声読み上げ要求及び文字データを受信すると前記文字データを音声で読み上げる特定の携帯端末装置に対して、前記音声読み上げ要求及び前記文字データを送信する音声読み上げ要求送信手順を有する。
【００１５】
本願発明のクライアント端末装置の音声読み上げプログラムは、音声読み上げ要求及び文字データを受信すると前記文字データを音声で読み上げる特定の携帯端末装置に対して、前記音声読み上げ要求及び前記文字データを送信する音声読み上げ要求送信ステップをコンピュータに実行させる。
【発明の効果】
【００１６】
本発明によれば、携帯端末装置の存在を携帯端末装置に通知させる音声読み上げシステム、音声読み上げ方法、携帯端末装置、携帯端末装置の音声読み上げ方法、携帯端末装置の音声読み上げプログラム、クライアント端末装置、クライアント端末装置の音声読み上げ方法及びクライアント端末装置の音声読み上げプログラムを提供することができる。
【図面の簡単な説明】
【００１７】
【図１】実施形態１に係る音声読み上げシステムの一例を示す。
【図２】実施形態１に係る音声読み上げ方法の一例を示す。
【図３】実施形態１に係る携帯端末装置の音声読み上げ方法の一例を示す。
【図４】実施形態１に係る携帯端末装置の音声読み上げプログラムの一例を示す。
【図５】実施形態１に係るクライアント端末装置の音声読み上げ方法の一例を示す。
【図６】実施形態１に係るクライアント端末装置の音声読み上げプログラムの一例を示す。
【図７】実施形態２に係る音声読み上げシステムの一例を示す。
【図８】実施形態２に係る音声読み上げ方法の一例を示す。
【図９】実施形態２に係る携帯端末装置の音声読み上げ方法の一例を示す。
【図１０】実施形態２に係る携帯端末装置の音声読み上げプログラムの一例を示す。
【図１１】実施形態２に係るクライアント端末装置の音声読み上げ方法の一例を示す。
【図１２】実施形態２に係るクライアント端末装置の音声読み上げプログラムの一例を示す。
【図１３】実施形態３に係る音声読み上げシステムの一例を示す。
【図１４】音声読み上げシステムのネットワーク構成の一例を示す。
【図１５】事前登録シーケンスの一例を示す。
【図１６】音声読み上げシーケンスの一例を示す。
【図１７】携帯端末装置で受信したメールの解析及び音声読み上げとメール本文を作成してクライアント端末装置にメール送信する処理を表したものである。
【図１８】携帯端末装置内で音声読み上げ設定するための画面である。
【発明を実施するための形態】
【００１８】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００１９】
（実施形態１）
図１に、実施形態１に係る音声読み上げシステムの一例を示す。実施形態１に係る音声読み上げシステムは、携帯端末装置１と、クライアント端末装置２と、を備える。
【００２０】
クライアント端末装置２は、音声読み上げ要求及び文字データを特定の携帯端末装置１に対して送信する。携帯端末装置１は、クライアント端末装置２から音声読み上げ要求を受信し、受信した文字データを音声で読み上げる。これにより、クライアント端末装置２から送信した文字データを、携帯端末装置１が音声で出力する。したがって、携帯端末装置１の存在を携帯端末装置１に通知させることができる。
【００２１】
実施形態１に係る音声読み上げシステムは、実施形態１に係る音声読み上げ方法を実行する。図２に、実施形態１に係る音声読み上げ方法の一例を示す。実施形態１に係る音声読み上げ方法は、音声読み上げ要求送信手順Ｓ１０１と、音声読み上げ手順Ｓ１０２と、を順に有する。
【００２２】
音声読み上げ要求送信手順Ｓ１０１では、音声読み上げ要求及び文字データを、クライアント端末装置２から特定の携帯端末装置１に送信する。音声読み上げ手順Ｓ１０２では、クライアント端末装置２から送信された音声読み上げ要求及び文字データを特定の携帯端末装置１で受信し、受信した文字データを音声で読み上げる。これにより、クライアント端末装置２から送信した文字データを、携帯端末装置１が音声で出力する。したがって、携帯端末装置１の存在を携帯端末装置１に通知させることができる。
【００２３】
携帯端末装置１は、通信部１１と、外部出力部１２と、を備える。通信部１１は、音声読み上げ要求及び文字データをクライアント端末装置２から受信する。外部出力部１２は、通信部１１の受信する文字データを音声で読み上げる。これにより、クライアント端末装置２から送信した文字データを、携帯端末装置１が音声で出力する。したがって、携帯端末装置１の存在を携帯端末装置１に通知させることができる。
【００２４】
携帯端末装置１は、実施形態１に係る携帯端末装置の音声読み上げ方法を実行する。図３に、実施形態１に係る携帯端末装置の音声読み上げ方法の一例を示す。実施形態１に係る携帯端末装置の音声読み上げ方法は、音声読み上げ手順Ｓ１１２を有する。音声読み上げ手順Ｓ１１２では、クライアント端末装置２から送信された音声読み上げ要求及び文字データを特定の携帯端末装置１で受信し、受信した文字データを音声で読み上げる。これにより、クライアント端末装置２から送信した文字データを、携帯端末装置１が音声で出力する。したがって、携帯端末装置１の存在を携帯端末装置１に通知させることができる。
【００２５】
携帯端末装置１は、実施形態１に係る携帯端末装置の音声読み上げプログラムをコンピュータに実行させることで実現してもよい。図４に、実施形態１に係る携帯端末装置の音声読み上げプログラムの一例を示す。実施形態１に係る携帯端末装置の音声読み上げプログラムは、音声読み上げステップＳ２１２をコンピュータに実行させる。音声読み上げステップＳ２１２では、クライアント端末装置２から送信された音声読み上げ要求及び文字データを通信部１１で受信し、受信した文字データを、外部出力部１２を用いて音声で読み上げる。これにより、コンピュータを用いて本実施形態に係る携帯端末装置１を実現することができる。
【００２６】
クライアント端末装置２は、通信部２１を備える。通信部２１は、音声読み上げ要求及び文字データを受信すると文字データを音声で読み上げる特定の携帯端末装置１に対して、音声読み上げ要求及び文字データを送信する。クライアント端末装置２から送信した文字データを携帯端末装置１が音声で出力することで、携帯端末装置１の存在を携帯端末装置１に通知させることができる。
【００２７】
クライアント端末装置２は、実施形態１に係るクライアント端末装置の音声読み上げ方法を実行する。図５に、実施形態１に係るクライアント端末装置の音声読み上げ方法の一例を示す。実施形態１に係るクライアント端末装置の音声読み上げ方法は、音声読み上げ要求送信手順Ｓ１２１を有する。音声読み上げ要求送信手順Ｓ１２１では、音声読み上げ要求及び文字データを受信すると文字データを音声で読み上げる特定の携帯端末装置１に対して、音声読み上げ要求及び文字データを送信する。クライアント端末装置２から送信した文字データを携帯端末装置１が音声で出力することで、携帯端末装置１の存在を携帯端末装置１に通知させることができる。
【００２８】
クライアント端末装置２は、本実施形態に係るクライアント端末装置の音声読み上げプログラムをコンピュータに実行させることで実現してもよい。図６に、実施形態１に係るクライアント端末装置の音声読み上げプログラムの一例を示す。実施形態１に係るクライアント端末装置の音声読み上げプログラムは、音声読み上げ要求送信ステップＳ２２１をコンピュータに実行させる。音声読み上げ要求送信ステップＳ２２１では、音声読み上げ要求及び文字データを受信すると文字データを音声で読み上げる特定の携帯端末装置１に対して、音声読み上げ要求及び文字データを通信部２１から送信する。これにより、コンピュータを用いて本実施形態に係るクライアント端末装置２を実現することができる。
【００２９】
（実施形態２）
図７に、実施形態２に係る音声読み上げシステムの一例を示す。実施形態２に係る音声読み上げシステムは、携帯端末装置１と、クライアント端末装置２と、ＡＰサーバ３と、を備える。
【００３０】
音声読み上げシステムは、実施形態２に係る音声読み上げ方法を実行する。図８に、実施形態２に係る音声読み上げ方法の一例を示す。実施形態２に係る音声読み上げ方法は、音声読み上げ要求送信手順Ｓ１０１と、ＡＰサーバ中継手順Ｓ１０３と、音声読み上げ手順Ｓ１０２と、終了確認手順Ｓ１０４と、を順に有する。
【００３１】
携帯端末装置１は、通信部１１と、外部出力部１２と、記憶部１３と、可否判定部１４と、認証部１５と、終了確認部１６と、を備える。携帯端末装置１は、実施形態２に係る携帯端末装置の音声読み上げ方法を実行する。図９に、実施形態２に係る携帯端末装置の音声読み上げ方法の一例を示す。実施形態２に係る携帯端末装置の音声読み上げ方法は、音声読み上げ手順Ｓ１１２と、終了確認手順Ｓ１１４と、順に有する。
【００３２】
携帯端末装置１は、実施形態２に係る携帯端末装置の音声読み上げプログラムをコンピュータに実行させることで実現してもよい。図１０に、実施形態２に係る携帯端末装置の音声読み上げプログラムの一例を示す。実施形態２に係る携帯端末装置の音声読み上げプログラムは、音声読み上げステップＳ２１２と、終了確認ステップＳ２１４と、順にコンピュータに実行させる。
【００３３】
クライアント端末装置２は、通信部２１を備える。クライアント端末装置２は、実施形態２に係るクライアント端末装置の音声読み上げ方法を実行する。図１１に、実施形態２に係るクライアント端末装置の音声読み上げ方法の一例を示す。実施形態２に係るクライアント端末装置の音声読み上げ方法は、音声読み上げ要求送信手順Ｓ１２１と、終了確認手順Ｓ１２４と、を順に有する。
【００３４】
クライアント端末装置２は、実施形態２に係るクライアント端末装置の音声読み上げプログラムをコンピュータに実行させることで実現してもよい。図１２に、実施形態２に係るクライアント端末装置の音声読み上げプログラムの一例を示す。実施形態２に係るクライアント端末装置の音声読み上げプログラムは、音声読み上げ要求送信ステップＳ２２１と、終了確認ステップＳ２２４と、を順にコンピュータに実行させる。
【００３５】
図７に示す携帯端末装置１は、音声読み上げ設定の可否を予め格納しており、音声読み上げ要求を受信すると、予め格納している音声読み上げ設定の可否を判定し、音声読み上げ設定が可である場合に、音声読み上げ要求と共に受信した文字データを音声で読み上げる。携帯端末装置１の使用者が音声読み上げを希望しない場合に、音声読み上げ機能を停止させることができる。
【００３６】
この場合、音声読み上げシステムは次の音声読み上げ方法を実行する。図８に示す音声読み上げ手順Ｓ１０２において、クライアント端末装置２から送信された音声読み上げ要求を受信すると、携帯端末装置１に予め格納されている音声読み上げ設定の可否を判定し、音声読み上げ設定が可である場合に、音声読み上げ要求と共に受信した文字データを音声で読み上げる。
【００３７】
この場合、携帯端末装置１は次の構成を備える。記憶部１３は、音声読み上げ設定の可否を予め格納する。可否判定部１４は、記憶部１３の格納している音声読み上げ設定の可否を判定する。外部出力部１２は、可否判定部１４の判定が可である場合に、音声読み上げ要求と共に受信した文字データを音声で読み上げる。
【００３８】
この場合、携帯端末装置１は次の携帯端末装置の音声読み上げ方法を実行する。図９に示す音声読み上げ手順Ｓ１１２において、クライアント端末装置２から送信された音声読み上げ要求を受信すると、携帯端末装置１に予め格納されている音声読み上げ設定の可否を判定し、音声読み上げ設定が可である場合に、音声読み上げ要求と共に受信した文字データを音声で読み上げる。
【００３９】
この場合、次の携帯端末装置の音声読み上げプログラムをコンピュータに実行させることで携帯端末装置１を実現してもよい。図１０に示す音声読み上げステップＳ２１２において、クライアント端末装置２から送信された音声読み上げ要求を受信すると、記憶部１３に予め格納されている音声読み上げ設定の可否を判定し、音声読み上げ設定が可である場合に、音声読み上げ要求と共に受信した文字データを、外部出力部１２を用いて音声で読み上げる。
【００４０】
図７に示すＡＰサーバ３は、クライアント端末装置２から音声読み上げ要求及び文字データをＨＴＴＰＳ（Ｈｙｐｅｒｔｅｘｔ  Ｔｒａｎｓｆｅｒ  Ｐｒｏｔｏｃｏｌ  Ｓｅｃｕｒｉｔｙ）を用いて受信し、受信した音声読み上げ要求及び文字データを、電子メールを用いて特定の携帯端末装置１に送信する。これにより、任意の端末を用いて音声読み上げ要求及び文字データを携帯端末装置１に送信することができる。携帯端末装置１は、ＡＰサーバ３から音声読み上げ要求及び文字データを受信し、受信した文字データを音声で読み上げる。携帯端末装置１に備わるメール送受信機能を用いて、音声読み上げ要求及び文字データを携帯端末装置１に受信させることができる。このため、携帯端末装置１の存在を携帯端末装置１に容易に通知させることができる。
【００４１】
この場合、音声読み上げシステムは次の音声読み上げ方法を実行する。図８に示すＡＰサーバ中継手順Ｓ１０３において、クライアント端末装置２から音声読み上げ要求及び文字データをＨＴＴＰＳを用いてＡＰサーバ３で受信し、受信した音声読み上げ要求及び文字データを、電子メールを用いてＡＰサーバ３から特定の携帯端末装置１に送信する。そして、音声読み上げ手順Ｓ１０２において、ＡＰサーバ３から電子メールを用いて送信された音声読み上げ要求及び文字データを特定の携帯端末装置１で受信し、受信した文字データを音声で読み上げる。
【００４２】
この場合、携帯端末装置１は次の構成を備える。通信部１１は、クライアント端末装置２から音声読み上げ要求及び文字データをＨＴＴＰＳを用いて受信する。通信部１１は、電子メールを用いて特定の携帯端末装置１に送信するＡＰサーバ３から、音声読み上げ要求及び文字データを、電子メールを用いて受信する。
【００４３】
この場合、携帯端末装置１は次の携帯端末装置の音声読み上げ方法を実行する。図９に示す音声読み上げ手順Ｓ１１２において、クライアント端末装置２から音声読み上げ要求及び文字データをＨＴＴＰＳを用いて受信し、電子メールを用いて特定の携帯端末装置１に送信するＡＰサーバ３から、音声読み上げ要求及び文字データを、電子メールを用いて受信し、受信した文字データを音声で読み上げる。
【００４４】
この場合、次の携帯端末装置の音声読み上げプログラムをコンピュータに実行させることで携帯端末装置１を実現してもよい。図１０に示す音声読み上げステップＳ２１２において、クライアント端末装置２から音声読み上げ要求及び文字データをＨＴＴＰＳを用いて受信し、電子メールを用いて特定の携帯端末装置１に送信するＡＰサーバ３から、音声読み上げ要求及び文字データを、電子メールを用いて通信部１１で受信し、受信した文字データを外部出力部から音声で読み上げる。
【００４５】
この場合、クライアント端末装置２は次の構成を備える。通信部２１は、電子メールを用いて音声読み上げ要求及び文字データを特定の携帯端末装置１に送信するＡＰサーバ３に対し、音声読み上げ要求及び文字データを、ＨＴＴＰＳを用いて送信する。
【００４６】
この場合、クライアント端末装置２は次のクライアント端末装置の音声読み上げ方法を実行する。図１１に示す音声読み上げ要求送信手順Ｓ１２１において、音声読み上げ要求及び文字データを、ＨＴＴＰＳを用いてＡＰサーバ３に送信し、ＡＰサーバ３を介して特定の携帯端末装置１に送信する。
【００４７】
この場合、次のクライアント端末装置音声読み上げプログラムをコンピュータに実行させることでクライアント端末装置２を実現してもよい。図１２に示す音声読み上げ要求送信ステップＳ２２１において、音声読み上げ要求及び文字データを、ＨＴＴＰＳを用いて通信部２１からＡＰサーバ３に送信する。
【００４８】
図７に示すクライアント端末装置２は、パスワードを送信し、携帯端末装置１は、受信したパスワードと予め格納しているパスワードとが一致するか否かを判定し、一致する場合に受信した文字データを音声で読み上げる。パスワードを知っている者のみが携帯端末装置１の存在を携帯端末装置１に通知させることができる。このため、携帯端末装置１の使用者以外の者が携帯端末装置１に音声読み上げ要求及び文字データを送信した場合に、文字データの音声での読み上げを防止することができる。
【００４９】
この場合、音声読み上げシステムは次の音声読み上げ方法を実行する。図８に示す音声読み上げ要求送信手順Ｓ１０１において、クライアント端末装置２からパスワードを送信する。音声読み上げ手順Ｓ１０２において、クライアント端末装置２から送信されたパスワードと携帯端末装置１に予め格納されているパスワードとが一致するか否かを判定し、一致する場合に、受信した文字データを音声で読み上げる。
【００５０】
この場合、携帯端末装置１は次の構成を備える。認証部１５は、通信部１１の受信するパスワードと予め格納しているパスワードとが一致するか否かを判定する。外部出力部１２は、認証部１５が一致すると判定した場合に、受信した文字データを音声で読み上げる。
【００５１】
この場合、携帯端末装置１は次の携帯端末装置の音声読み上げ方法を実行する。図９に示す音声読み上げ手順Ｓ１１２において、クライアント端末装置２から送信されたパスワードと携帯端末装置１に予め格納されているパスワードとが一致するか否かを判定し、一致する場合に、受信した文字データを音声で読み上げる。
【００５２】
この場合、次の携帯端末装置の音声読み上げプログラムをコンピュータに実行させることで携帯端末装置１を実現してもよい。図１０に示す音声読み上げステップＳ２１２において、通信部１１の受信するパスワードと記憶部１３に格納されているパスワードとが一致するか否かを判定し、一致する場合に、受信した文字データを、外部出力部１２を用いて音声で読み上げる。
【００５３】
図７に示す携帯端末装置１は、受信した文字データの音声読み上げが正常に終了したのか否かを判定し、判定結果を、予め格納しているクライアント端末装置２の識別子に対して送信する。これにより、携帯端末装置１の使用者は、判定結果を取得することができる。したがって、携帯端末装置１の使用者は、音声が聞こえる範囲に携帯端末装置１が存在するか否かを判断することができる。
【００５４】
この場合、音声読み上げシステムは次の音声読み上げ方法を実行する。図８に示す終了確認手順Ｓ１０４において、携帯端末装置１での文字データの音声読み上げが正常に終了したのか否かを判定し、判定結果を、携帯端末装置１に予め格納されているクライアント端末装置２の識別子に対して送信する。
【００５５】
この場合、携帯端末装置１は次の構成を備える。終了確認部１６は、外部出力部１２の文字データの音声読み上げが正常に終了したのか否かを判定する。通信部１１は、終了確認部１６の判定結果を、予め格納しているクライアント端末装置２の識別子に対して送信する。
【００５６】
この場合、携帯端末装置１は次の携帯端末装置の音声読み上げ方法を実行する。図９に示す終了確認手順Ｓ１１４において、携帯端末装置１での文字データの音声読み上げが正常に終了したのか否かを判定し、判定結果を、携帯端末装置１に予め格納されているクライアント端末装置２の識別子に対して送信する。
【００５７】
この場合、次の携帯端末装置の音声読み上げプログラムをコンピュータに実行させることで携帯端末装置１を実現してもよい。図１０に示す終了確認ステップＳ２１４において、外部出力部１２での文字データの音声読み上げが正常に終了したのか否かを判定し、判定結果を、記憶部１３に格納されているクライアント端末装置２の識別子に対して送信する。
【００５８】
この場合、クライアント端末装置２は次の構成を備える。通信部２１は、文字データの音声読み上げが正常に終了したのか否かの判定結果を受信する。
【００５９】
この場合、クライアント端末装置２は次のクライアント端末装置の音声読み上げ方法を実行する。図１１に示す終了確認手順Ｓ１２４において、携帯端末装置１での文字データの音声読み上げが正常に終了したのか否かの判定結果を、携帯端末装置１から受信する。
【００６０】
この場合、次のクライアント端末装置の音声読み上げプログラムをコンピュータに実行させることでクライアント端末装置２を実現してもよい。図１２に示す終了確認ステップＳ２２４において、携帯端末装置１での文字データの音声読み上げが正常に終了したのか否かの判定結果を、携帯端末装置１から受信する。
【００６１】
図７に示すクライアント端末装置２は、携帯端末装置１で読み上げる音声読み上げ設定を送信する。携帯端末装置１は、受信した文字データを、受信した音声読み上げ設定の音声で読み上げる。音声読み上げ設定が行えることで、携帯端末装置１の使用者は、どのような音声で文字データが音声で出力されるのかを予め把握することができる。これにより、携帯端末装置１の使用者は、携帯端末装置１の所在地を的確に把握することができる。
【００６２】
この場合、音声読み上げシステムは次の音声読み上げ方法を実行する。図８に示す音声読み上げ要求送信手順Ｓ１０１において、携帯端末装置１で読み上げる音声読み上げ設定をクライアント端末装置２から特定の携帯端末装置１に送信する。音声読み上げ手順Ｓ１０２において、携帯端末装置１で受信した文字データを、受信した音声読み上げ設定の音声で読み上げる。
【００６３】
この場合、携帯端末装置１は次の構成を備える。通信部１１は、携帯端末装置１で読み上げる音声読み上げ設定をクライアント端末装置２から受信する。外部出力部１２は、受信した文字データを、通信部１１の受信する音声読み上げ設定の音声で読み上げる。
【００６４】
この場合、携帯端末装置１は次の携帯端末装置の音声読み上げ方法を実行する。図９に示す音声読み上げ手順Ｓ１１２において、携帯端末装置１で受信した文字データを、クライアント端末装置２から送信された音声読み上げ設定の音声で読み上げる。
【００６５】
この場合、次の携帯端末装置の音声読み上げプログラムをコンピュータに実行させることで携帯端末装置１を実現してもよい。図１０に示す音声読み上げステップＳ２１２において、外部出力部１２は、通信部１１の受信した文字データを、通信部１１の受信した音声読み上げ設定の音声で読み上げる。
【００６６】
この場合、クライアント端末装置２は次の構成を備える。通信部２１は、携帯端末装置１で読み上げる音声読み上げ設定を送信する。
【００６７】
この場合、クライアント端末装置２は次のクライアント端末装置の音声読み上げ方法を実行する。図１１に示す音声読み上げ要求送信手順Ｓ１２１において、携帯端末装置１で読み上げる音声読み上げ設定をクライアント端末装置２から特定の携帯端末装置１に送信する。
【００６８】
この場合、次のクライアント端末装置音声読み上げプログラムをコンピュータに実行させることでクライアント端末装置２を実現してもよい。図１２に示す音声読み上げ要求送信ステップＳ２２１において、携帯端末装置１で読み上げる音声読み上げ設定を通信部２１から特定の携帯端末装置１に送信する。
【００６９】
図７に示す携帯端末装置１は、文字データを音声で読み上げると共に、バイブレータ機能又はイルミネーション機能を動作させる。バイブレータ機能を動作させることで、振動を用いて携帯端末装置１の存在を知らしめることができる。イルミネーション機能を動作させることで、光を用いて携帯端末装置１の存在を知らしめることができる。したがって、携帯端末装置１が音声の伝達し難い環境下にある場合であっても、携帯端末装置１の存在を携帯端末装置１に通知させることができる。
【００７０】
この場合、音声読み上げシステムは次の音声読み上げ方法を実行する。図８に示す音声読み上げ手順Ｓ１０２において、文字データを音声で読み上げると共に、バイブレータ機能又はイルミネーション機能を動作させる。
【００７１】
この場合、携帯端末装置１は次の構成を備える。外部出力部１２は、文字データを音声で読み上げると共に、バイブレータ機能又はイルミネーション機能を動作させる。
【００７２】
この場合、携帯端末装置１は次の携帯端末装置の音声読み上げ方法を実行する。図９に示す音声読み上げ手順Ｓ１１２において、文字データを音声で読み上げると共に、バイブレータ機能又はイルミネーション機能を動作させる。
【００７３】
この場合、次の携帯端末装置の音声読み上げプログラムをコンピュータに実行させることで携帯端末装置１を実現してもよい。図１０に示す音声読み上げステップＳ２１２において、文字データを音声で読み上げると共に、バイブレータ機能又はイルミネーション機能を動作させる。
【００７４】
（実施形態３）
図１３に、実施形態３に係る音声読み上げシステムの一例を示す。実施形態３に係る音声読み上げシステムは、携帯端末装置１と、クライアント端末装置２と、ＡＰサーバ３と、ＤＢサーバ４と、を備える。クライアント端末装置２から携帯端末装置１へリモートアクセスし、入力した特定の文字列を携帯端末装置１にて音声読み上げする事で、紛失した携帯端末装置１の発見を手助けする。
【００７５】
図１４に、音声読み上げシステムのネットワーク構成の一例を示す。クライアント端末装置２とＡＰサーバ３はＩＰ（Ｉｎｔｅｒｎｅｔ  Ｐｒｏｔｏｃｏｌ）網１００で繋がっている。ＡＰサーバ３とＤＢサーバ４は、同一ＬＡＮ（Ｌｏｃａｌ  Ａｒｅａ  Ｎｅｔｗｏｒｋ）上で接続されている。
【００７６】
図１３に示すクライアント端末装置２からの音声読み上げ要求に対して、音声読み上げ設定用ＡＰサーバ３にて電子メールを作成して携帯端末装置１に送信を行う。携帯端末装置１は、メールを受信後、メール本文の解析を実施し、要求情報（文字入力情報など）を基にマナーモード設定値に関わらず、携帯端末装置１内で音声合成して読み上げる。これにより、携帯端末装置１の所在地を特定する事が出来る。
【００７７】
図１５に、事前登録シーケンスの一例を示す。クライアント端末装置２からＡＰサーバ３に携帯端末装置１の情報（メールアドレス、パスワード）を登録するシーケンスを表したものである。クライアント端末装置２から、音声読み上げ設定用ＡＰサーバ３にＨＴＴＰＳで接続を行う。認証情報は音声読み上げ設定用ＤＢサーバ４に事前に登録されているものとする。認証接続確立後、携帯端末装置１のメールアドレス及びパスワードの入力を行い、音声読み上げ設定用ＤＢサーバ４に登録する。
【００７８】
図１６に、音声読み上げシーケンスの一例を示す。
クライアント端末装置２から音声読み上げ設定用ＡＰサーバ３にＨＴＴＰＳで接続を行う。ＡＰサーバ３は、ＤＢサーバ４に対して認証チェック要求を行う。ＤＢサーバ４は、音声読み上げ設定用の認証情報を事前に格納している。ＤＢサーバ４は、ＡＰサーバ３から取得した認証情報と事前に格納した認証情報とを照合し、認証結果をＡＰサーバ３に通知する。
【００７９】
クライアント端末装置２は、ＡＰサーバ３に音声読み上げ要求を送信する。認証接続確立後、ＡＰサーバ３は、読み上げたい文字情報をクライアント端末装置２から取得する。ＡＰサーバ３は、メール本文を作成し、事前に登録した携帯端末装置１のメールアドレス宛にメール送信する。
【００８０】
携帯端末装置１は、メール受信後、メール本文の解析を実施し、音声読み上げ設定を基に音声合成及び読み上げを行う。そして、携帯端末装置１は、読み上げの正常終了又は異常終了を判定し、判定結果をクライアント端末装置２にメール送信する。
【００８１】
図１７は携帯端末装置で受信したメールの解析及び音声読み上げとメール本文を作成してクライアント端末装置にメール送信する処理を表したものである。携帯端末装置１では、音声読み上げ要求のメールを受信した後、受信メールの解析処理を行う。そして、通常のメールか音声読み上げのメールかのメールの種別を判定する。通常のメールであれば通常メールの処理に移行し、音声読み上げ要求のメールであれば音声読み上げ処理に移行する。
【００８２】
音声読み上げ処理では、音声読み上げ可否設定が可になっており、かつ、パスワードが一致するか否かを判定する。どちらかがＮＧの場合は処理を中止する。両方ともＹＥＳの場合は受信メールの解析を継続し、メール本文の文字入力情報と携帯端末装置１にて設定された音声読み上げ設定を基に音声合成を行い、音声の読み上げを行う。
【００８３】
ここで、音声読み上げ可否設定は、携帯端末装置１であらかじめ設定した音声読み上げＯＮ／ＯＦＦ設定がＯＮになっているか否かを判定する。パスワード一致判定は、メール本文記載のパスワードと携帯端末装置１内であらかじめ設定したパスワードが一致かどうかを判定する。
【００８４】
音声の読み上げの結果については、メール本文の作成を行い、あらかじめ登録しておいた外部メールアドレス（携帯端末装置１内で事前に登録を実施）の宛先にメール送信を行う。
【００８５】
図１８は携帯端末装置内で音声読み上げ設定するための画面である。音声読み上げを許可するかどうかの音声読み上げ可否プルダウン設定、読み上げ設定する際の音声ボリューム値設定、読み上げ設定の音声設定（男性ボイス、女性ボイスなどを設定）、携帯端末から結果送信宛先となる外部メールアドレス、音声読み上げ設定用のパスワードから構成され、利用者で事前に設定する。
【００８６】
以上説明したように本発明によれば、外部のクライアント端末装置２から音声読み上げに必要な情報（文字入力）するのみで、マナーモード設定がＯＦＦで合った場合も、携帯端末装置１で音声を読み上げる事が簡単に出来る。携帯端末装置１において、メール受信後に音声読み上げ可否とパスワードチェックを行う仕組みであるため、第三者から不正なアクセスが行われる事を防止する事が出来る。また、クライアント端末装置２から任意の文字を入力する事が可能なため、様々なケースに適応した音声読み上げ内容とする事が可能である。
【００８７】
なお、音声読み上げが適していないケース、音声だけでは居場所を特定出来ないケースなどは、携帯端末装置１のバイブレータ機能、イルミネーション機能を制御する事も可能である。
【産業上の利用可能性】
【００８８】
本発明は情報通信産業に適用することができる。
【符号の説明】
【００８９】
１：携帯端末装置
２：クライアント端末装置
３：ＡＰサーバ
４：ＤＢサーバ
１１：通信部
１２：外部出力部
１３：記憶部
１４：可否判定部
１５：認証部
１６：終了確認部
２１：通信部
１００：ＩＰネットワーク
【図１】
2011109342.tif 000003
【図２】
2011109342.tif 000004
【図３】
2011109342.tif 000005
【図４】
2011109342.tif 000006
【図５】
2011109342.tif 000007
【図６】
2011109342.tif 000008
【図７】
2011109342.tif 000009
【図８】
2011109342.tif 000010
【図９】
2011109342.tif 000011
【図１０】
2011109342.tif 000012
【図１１】
2011109342.tif 000013
【図１２】
2011109342.tif 000014
【図１３】
2011109342.tif 000015
【図１４】
2011109342.tif 000016
【図１５】
2011109342.tif 000017
【図１６】
2011109342.tif 000018
【図１７】
2011109342.tif 000019
【図１８】
2011109342.tif 000020